(57)【要約】      （修正有）【課題】使用後の清掃作業を極めて容易に行なうことができる薬用粉体選別具を提供する。【解決手段】粉体を選別する半球殻状の金網部本体１０の端縁部には、周辺方向に延在するフランジ部１２ａが設けられている。フランジ部１２ａが載置可能な円状の枠体２０には、取手部３０に固定される固定杆部２１と突出部２２が設けられている。突出部２２の先端部には、枠体２０と略同形状の係止用枠体５０の突出部５２の先端が接続具５３によって回動自在に係止されている。金網本体１０のフランジ部１２ａは枠体２０と係止用枠体５０とによって挟持され、係止用枠体５０はその係止部５１によって固定杆部２１に係止される。金網部本体を枠体から容易に外すことができ、清掃作業を容易に短時間で行なうことができる。【選択図】図２
0003184956.tif 000002
【実用新案登録請求の範囲】
【請求項１】
半球殻状に形成された金網部本体と、該金網部本体の端縁部に係合して当該金網部本体の形状を保持する円状の枠体と、該枠体の一部に固定された当該枠体の外側方向に延在する取手部と、前記金網部本体を前記枠体に係止する係止用枠体とによって構成される薬用粉体選別具であって、
前記金網部本体は、半球殻状に形成された細目の金網と、当該半球殻状の金網の円状の端縁部をその全周に亘って挟み込むように折り曲げられて固定された板金であって、その折り曲げられた当該板金の折り曲げ部を含む当該板金の端縁部が前記金網の円状の端縁部の外周方向に延在するように折り曲げられて前記枠体上に載置可能な前記金網部本体のフランジ部を形成する板金とによって構成され、
前記枠体は、前記半球殻状の金網の端縁部が形成する円と同じ円となるように円状に形成され、当該円状の枠体の一部には外側方向に延在し前記取手部に固定される固定杆部が形成され、該固定枠部の位置と前記円の直径方向において対向する位置には外側方向に延在するように突出部が形成され、
前記係止用枠体は前記枠体と同一の突出部を有する同一の円となるような形状に形成され、当該係止用枠体の突出部の位置と前記円の直径方向において対向する位置には、当該係止用枠体を前記枠体に重ねた状態において前記枠体の前記固定杆部に着脱自在に係合する係止部が配設され、
前記枠体の前記突出部の先端部と前記係止用枠体の前記突出部の先端部とは接続具によって回動自在に係止され、
前記金網部本体の前記フランジ部が前記枠体上に載置された状態において前記枠体と前記係止用枠体とによって挟持されて係止されることを特徴とする薬用粉体選別具。
【請求項２】
半球殻状に形成された金網部本体と、該金網部本体の端縁部に係合して当該金網部本体の形状を保持する円状の枠体と、該枠体の一部に固定された当該枠体の外側方向に延在する取手部とによって構成される薬用粉体選別具であって、
前記金網部本体は、半球殻状に形成された細目の金網と、当該半球殻状の金網の円状の端縁部をその全周に亘って挟み込むように折り曲げられて固定された板金であって、その折り曲げられた当該板金の折り曲げ部を含む当該板金の端縁部が前記金網の円状の端縁部の外周方向に延在するように折り曲げられて前記枠体上に載置可能な前記金網部本体のフランジ部を形成する板金とによって構成され、
前記枠体は、前記半球殻状の金網の端縁部が形成する円と同じ円となるように円状に形成され、当該円状の枠体の一部には外側方向に延在し前記取手部に固定される固定杆部が形成され、該固定枠部の位置と前記円の直径方向において対向する位置には外側方向に延在するように突出部が形成され、
前記枠体の前記突出部には、前記枠体上に載置される前記金網部本体の前記フランジ部を係止する係止用突片が配設され、
前記円状の枠体の前記固定杆部には、当該枠体の円が形成する平面内において回動自在な係止杆が配設され、当該係止杆の先端部には前記枠体上に載置される前記金網部本体の前記フランジ部と前記枠体とを共に挟持可能な挟持爪部が形成されていることを特徴とする薬用粉体選別具。
【考案の詳細な説明】
【技術分野】
【０００１】
本考案は、飲用薬である錠剤を飲み易い粉体状にするときに用いる薬用粉体選別具に関するものである。
【背景技術】
【０００２】
現在、医療の現場においては、保管や管理が容易な錠剤が広く用いられている。
【０００３】
しかしながら、薬を飲み下す力が弱っている老人等の患者においては錠剤を飲むことが容易には出来ないために、病院等においては錠剤を粉体にして患者に与えている。
【０００４】
このような錠剤を粉体にする場合には、一般に、図６に示したように、乳鉢１と乳棒２とを用いて錠剤Ａを摺り潰して粉体Ｂにした後、市販の茶漉し器３を用いて粉体状になった薬を選別し、粉体状になっていない薬は、再度、乳鉢１と乳棒２とを用いて摺り潰して錠剤Ａの全てを粉体Ｂにしている。
【０００５】
図７は、ここで用いられている市販の一般的な茶漉し器３の構成を示した図である。
【０００６】
図７に示すように、市販の一般的な茶漉し器３は、金網部本体１０と枠体２０と取手部３０とによって構成されている。
【０００７】
金網部本体１０は、金属細線を編んだ半球殻状の細目の金網１１と、金網１１の端縁部をその全周に亘って挟み込むように折り曲げられて固定された板金１２とによって構成されている。さらに、この板金１２の端縁部は外周方向に折り曲げられており、この部分が金網部本体１０のフランジ部１２ａを形成している。
【０００８】
枠体２０は、半球殻状の金網１１の端縁部が形成する円と同じ円となるように円状に形成されており、金網部本体のフランジ部１２ａが載置可能な形状に構成されている。
【０００９】
枠体２０には、棒状の取手部３０に固定される外側方向に延在する固定杆部２１が設けられている。この固定杆部２１の位置と円の直径方向において対向する位置には、茶漉し器３を茶碗上に載置するときに使用する突出部２２が外側方向に延在するように設けられている。
【００１０】
金網部本体１０の金網１１は金属細線で形成されていて変形し易いので、枠体２０は金網部本体１０の形状を保持する機能も有している。金網部本体１０は、そのフランジ部１２ａを枠体２０上に載置した状態で、剛性の高い針金４０によって枠体２０に固定されている。
【考案の概要】
【考案が解決しようとする課題】
【００１１】
以上説明した構成の市販されている従来の茶漉し器３を、薬用の粉体選別具として用いた場合には、以下のような問題が生じていた。
【００１２】
従来の茶漉し器３を薬用粉体選別具として用いた場合には、図８に示したように、薬の粉体を選別する過程において枠体２０とフランジ部１２ａとの間の隙間に粉体Ｂが詰まってしまい、その清掃作業が極めて困難である、という問題が生じていた。
【００１３】
ここで、枠体２０とフランジ部１２ａとの間の隙間に詰まった粉体Ｂを完全に清掃しておかないと、次回に異なる薬の粉体を選別する場合に、その異なる薬の粉体と混ざってしまうという危険性があるために、病院などの医療現場においては、このような従来の茶漉し器３を薬用粉体選別具として使用したときには、使用後に時間をかけてその清掃作業をしなければならなかった。
【課題を解決するための手段】
【００１４】
以上の問題点を解消するために、本考案の第１の手段は、半球殻状に形成された金網部本体と、該金網部本体の端縁部に係合して当該金網部本体の形状を保持する円状の枠体と、該枠体の一部に固定された当該枠体の外側方向に延在する取手部と、前記金網部本体を前記枠体に係止する係止用枠体とによって構成される薬用粉体選別具であって、前記金網部本体は、半球殻状に形成された細目の金網と、当該半球殻状の金網の円状の端縁部をその全周に亘って挟み込むように折り曲げられて固定された板金であって、その折り曲げられた当該板金の折り曲げ部を含む当該板金の端縁部が前記金網の円状の端縁部の外周方向に延在するように折り曲げられて前記枠体上に載置可能な前記金網部本体のフランジ部を形成する板金とによって構成され、前記枠体は、前記半球殻状の金網の端縁部が形成する円と同じ円となるように円状に形成され、当該円状の枠体の一部には外側方向に延在し前記取手部に固定される固定杆部が形成され、該固定枠部の位置と前記円の直径方向において対向する位置には外側方向に延在するように突出部が形成され、前記係止用枠体は前記枠体と同一の突出部を有する同一の円となるような形状に形成され、当該係止用枠体の突出部の位置と前記円の直径方向において対向する位置には、当該係止用枠体を前記枠体に重ねた状態において前記枠体の前記固定杆部に着脱自在に係合する係止部が配設され、前記枠体の前記突出部の先端部と前記係止用枠体の前記突出部の先端部とは接続具によって回動自在に係止され、前記金網部本体の前記フランジ部が前記枠体上に載置された状態において前記枠体と前記係止用枠体とによって挟持されて係止されることを特徴とするものである。
【００１５】
また、以上の問題点を解消するために、本考案の第２の手段は、半球殻状に形成された金網部本体と、該金網部本体の端縁部に係合して当該金網部本体の形状を保持する円状の枠体と、該枠体の一部に固定された当該枠体の外側方向に延在する取手部とによって構成される薬用粉体選別具であって、前記金網部本体は、半球殻状に形成された細目の金網と、当該半球殻状の金網の円状の端縁部をその全周に亘って挟み込むように折り曲げられて固定された板金であって、その折り曲げられた当該板金の折り曲げ部を含む当該板金の端縁部が前記金網の円状の端縁部の外周方向に延在するように折り曲げられて前記枠体上に載置可能な前記金網部本体のフランジ部を形成する板金とによって構成され、前記枠体は、前記半球殻状の金網の端縁部が形成する円と同じ円となるように円状に形成され、当該円状の枠体の一部には外側方向に延在し前記取手部に固定される固定杆部が形成され、該固定枠部の位置と前記円の直径方向において対向する位置には外側方向に延在するように突出部が形成され、前記枠体の前記突出部には、前記枠体上に載置される前記金網部本体の前記フランジ部を係止する係止用突片が配設され、前記円状の枠体の前記固定杆部には、当該枠体の円が形成する平面内において回動自在な係止杆が配設され、当該係止杆の先端部には前記枠体上に載置される前記金網部本体の前記フランジ部と前記枠体とを共に挟持可能な挟持爪部が形成されていることを特徴とするものである。
【考案の効果】
【００１６】
本考案によれば、使用後の清掃作業を極めて容易に行なうことができる薬用粉体選別具を提供することができる。
【図面の簡単な説明】
【００１７】
【図１】本考案の実施例１の構成を示した斜視図である。
【図２】本考案の実施例１の構成の説明図である。
【図３】本考案の実施例１の構成の説明図である。
【図４】本考案の実施例２の構成を示した斜視図である。
【図５】本考案の実施例２の構成の説明図である。
【図６】従来の茶漉し器を薬用粉体選別具として使用した場合の説明図である。
【図７】従来の茶漉し器の構成を示した分解斜視図である。
【図８】従来の茶漉し器を薬用粉体選別具として使用した場合の説明図である。
【考案を実施するための形態】
【００１８】
以下、図面を用いて本考案の実施例を説明する。
【実施例１】
【００１９】
図１は本考案の実施例１の構成を示した斜視図である。本考案の実施例１は、従来の茶漉し器を改良することによって、錠剤を粉体にする場合に好適な薬用粉体選別具を提供するものであり、従来の茶漉し器の説明で用いた図６〜図８と同一符号のものは同一のものを示しているのでその説明は省略する。
【００２０】
本実施例１の構成が従来の茶漉し器の構成と異なる点は、本実施例１においては、金網部本体１０が枠体２０に針金によって固定されてはおらず、その代わりに係止用枠体５０によって金網部本体１０が枠体２０に着脱自在に係止されていることである。
【００２１】
係止用枠体５０は、図２（ａ），（ｂ）に示すように、枠体２０の突出部２２と同一形状を有する突出部５２を具えた同一の円状の形状に形成されている。この突出部５２の先端部は、枠体２０の突出部２２の先端部に接続具５３によって回動自在に係止されている。
【００２２】
係止用枠体５０の突出部５２の位置と直径方向において対向する位置には、係止用枠体５０を枠体２０に重ねた状態において、図３（ａ）〜（ｃ）に示したように枠体２０の固定杆部２１に着脱自在に係合する係止部５１が形成されている。
【００２３】
以上のように構成された本実施例１においては、図２（ａ），（ｂ）に示したように、金網部本体１０のフランジ部１２ａが枠体２０上に係止用枠体５０によって係止されているために、係止部５１を固定杆部２１から外すことにより金網部本体１０を枠体２０から容易に外すことができ、清掃作業を容易に短時間で行なうことができる。
【実施例２】
【００２４】
図４は、本考案の実施例２の構成を示した斜視図である。本実施例２においては、先に説明した実施例１の係止用枠体５０の代わりに、係止杆６１と係止用突片６２とによって金網部本体１０を枠体２０に着脱自在に係止する構造となっている。
【００２５】
図５（ａ），（ｂ）に示すように、係止用突片６２は枠体２０の突出部２２に配設されており、係止杆６１は枠体２０の固定杆部２１に配設されている。
【００２６】
係止用突片６２は、金網部本体１０のフランジ部１２ａの上面部に当接可能なように枠体２０の内側方向に向って延在するように配設されている。
【００２７】
係止杆６１は、円状の枠体２０の円が形成する平面内において回動自在となるように固定杆部２１に係止されているものであり、その先端部には枠体２０上に載置される金網部本体１０のフランジ部１２ａと枠体２０とを共に挟持する挟持爪部６１ａが形成されている。
【００２８】
以上のように構成された本実施例２においても、金網部本体１０は枠体２０上に係止された状態となっているので、清掃時には係止杆６１を回動させて挟持爪部６１ａを移動させることにより金網本体１０を枠体２０から外して容易に清掃作業を行なうことができる。
【符号の説明】
【００２９】
１  乳鉢
２  乳棒
３  茶漉し器
１０  金網部本体
１１  金網
１２  板金
１２ａ  フランジ部
２０  枠体
２１  固定杆部
２２，５２  突出部
３０  取手部
４０  針金
５０  係止用枠体
５１  係止部
５３  接続具
６１  係止杆
６１ａ  挟持爪部
６２  係止用突片
Ａ  錠剤
Ｂ  粉体
【図１】
0003184956.tif 000003
【図２】
0003184956.tif 000004
【図３】
0003184956.tif 000005
【図４】
0003184956.tif 000006
【図５】
0003184956.tif 000007
【図６】
0003184956.tif 000008
【図７】
0003184956.tif 000009
【図８】
0003184956.tif 000010